(57)【特許請求の範囲】
【請求項１】
支軸に回動自在に設けられ遊技者にとって不利な閉状態と有利な開状態とに可変する開閉部材と、電気的駆動源の駆動力により作動し前記開閉部材を起立又は傾倒させる作動部材とを備えた可変入賞装置であって、
当該可変入賞装置に入賞した遊技球が通過する入賞開口が形成され、かつ透孔を備えた台板を有し、
前記開閉部材は重心位置が所定の傾倒状態を境に閉方向又は開方向に付勢するように位置し、該開閉部材の背面側であり前記支軸と偏心した位置に該開閉部材を開方向に作用させる第一操作部と該開閉部材を閉方向に作用させる第二操作部とが設けられ、前記第一操作部及び前記第二操作部が、前記透孔に挿通されて前記台板の後方に突出しており、
前記作動部材は前記開閉部材と前記台板の後方側で連係する軸状の係合部が前記の第一操作部と前記第二操作部の間に位置して設けられると共に該係合部が上下動し得るように回動自在に設けられ、前記係合部は前記開閉部材の閉状態において前記第二操作部の回動を阻止するストッパー部を備え、該係合部は前記開閉部材の閉状態において前記第一操作部の直下に略接触状態で位置すると共に前記第二操作部との間で前記略接触状態よりも広い所定の間隙をもって該第二操作部の回動軌跡上に位置し、前記開閉部材の開状態において前記第二操作部の上方に位置し、
前記電気的駆動源の駆動により前記作動部材を作動させて前記係合部が前記第一操作部を操作することにより開閉部材を開放し、前記電気的駆動源の駆動により前記作動部材を復動させて係合部が前記第二操作部を操作することにより開閉部材を閉鎖し、
前記開閉部材の閉状態において該開閉部材に対し外部から開方向の回動力が加えられると、前記第二操作部が前記ストッパー部に衝止して開閉部材の開方向への回動が阻止されることを特徴とする可変入賞装置。
【請求項２】
支軸に回動自在に設けられ遊技者にとって不利な閉状態と有利な開状態とに可変する開閉部材と、電気的駆動源の駆動力により作動し前記開閉部材を起立又は傾倒させる作動部材とを備えた可変入賞装置であって、
当該可変入賞装置に入賞した遊技球が通過する入賞開口が形成され、かつ透孔を備えた台板を有し、
前記開閉部材は重心位置が所定の傾倒状態を境に閉方向又は開方向に付勢するように位置し、該開閉部材の背面側であり前記支軸と偏心した位置に該開閉部材を開方向に作用させる第一操作部と該開閉部材を閉方向に作用させる第二操作部とが設けられ、前記第一操作部及び前記第二操作部が、前記透孔に挿通されて前記台板の後方に突出しており、
前記作動部材は前記開閉部材と前記台板の後方側で連係する軸状の係合部が前記の第一操作部と前記第二操作部の間に位置して設けられると共に該係合部が上下動し得るように回動自在に設けられ、前記係合部は前記開閉部材の閉状態において前記第二操作部の回動を阻止するストッパー部を備え、該係合部は前記開閉部材の閉状態において前記第一操作部の下方に所定の間隙をもって位置すると共に前記第二操作部の回動軌跡上である側方に前記所定の間隙よりも狭い間隔で位置し、前記開閉部材の開状態において前記第二操作部の上方に位置し、
前記電気的駆動源の駆動により前記作動部材を作動させて前記係合部が前記第一操作部を操作することにより開閉部材を開放し、前記電気的駆動源の駆動により前記作動部材を復動させて係合部が前記第二操作部を操作することにより開閉部材を閉鎖し、
前記開閉部材の閉状態において該開閉部材に対し外部から開方向の回動力が加えられると、前記第二操作部が前記ストッパー部に衝止して開閉部材の開方向への回動が阻止されることを特徴とする可変入賞装置。
【請求項３】
請求項１又は２記載の可変入賞装置を用いたことを特徴とする遊技機。
【発明の詳細な説明】
【技術分野】
【０００１】
本発明は、可変入賞装置及びそれを用いた遊技機に関し、特に回動可能に設けられる開閉部材を外部操作によって不当に開いて賞球を獲得する不正行為を防止するための防犯機構を備えた可変入賞装置及びそれを用いた遊技機に関する。
【背景技術】
【０００２】
従来、パチンコ遊技機、アレンジボール式遊技機等の弾球遊技機を含む種々の遊技機に設けられる可変入賞装置として、ソレノイド等の電気的駆動源により開閉翼片又は開閉扉等の開閉部材を起立又は傾倒状態として球受入口に打球を入り難くしたり、打球を入り易くしたりするものがある。しかし、このような可変入賞装置は、ソレノイドが作動していないときに、外部からピアノ線やセル板等の不正道具を遊技盤前面とガラス板との間に侵入させて開閉部材に引掛けて、開閉部材を無理矢理に開放できる構造である。そのため、不当に賞球を獲得する不正行為が多発したことから、外部から可変入賞装置の開閉部材を開けようとしても開閉部材が開放しないように、不正行為を防止する目的の可変入賞装置が提案されている（例えば、特許文献１参照。）。
【０００３】
【特許文献１】実開平１−９０５９２号公報
【発明の開示】
【発明が解決しようとする課題】
【０００４】
しかしながら、特許文献の可変入賞装置は、連結杆の側端部とクランク部材に設けた係止片を当接させ外力による回動を防止するものの、ソレノイドの励磁により連結杆とクランク部材が同時に回動する構造であるため回動を防止する箇所は一点のみであり、ロックが外れ易く、しかもこじれや摩耗を生じやすい。さらに、連結杆とクランク部材の回動方向が同じであるため、無理に開放しようとすると簡単にロックが外れ、確実なロック効果を期待できないという問題がある。
【０００５】
本発明は、上記課題を解決するためになされたものであり、簡単な構成でありながら外部から不正に開閉部材を開けようとしても開閉部材が開くことがなく、確実に不正行為を防止することができる可変入賞装置及びそれを用いた遊技機を提供することを目的としている。
【課題を解決するための手段】
【０００６】
上記目的を達成するために、請求項１に記載の発明は、支軸に回動自在に設けられ遊技者にとって不利な閉状態と有利な開状態とに可変する開閉部材と、電気的駆動源の駆動力により作動し前記開閉部材を起立又は傾倒させる作動部材とを備えた可変入賞装置であって、当該可変入賞装置に入賞した遊技球が通過する入賞開口が形成され、かつ透孔を備えた台板を有し、前記開閉部材は重心位置が所定の傾倒状態を境に閉方向又は開方向に付勢するように位置し、該開閉部材の背面側であり前記支軸と偏心した位置に該開閉部材を開方向に作用させる第一操作部と該開閉部材を閉方向に作用させる第二操作部とが設けられ、前記第一操作部及び前記第二操作部が、前記透孔に挿通されて前記台板の後方に突出しており、前記作動部材は前記開閉部材と前記台板の後方側で連係する軸状の係合部が前記の第一操作部と前記第二操作部の間に位置して設けられると共に該係合部が上下動し得るように回動自在に設けられ、前記係合部は前記開閉部材の閉状態において前記第二操作部の回動を阻止するストッパー部を備え、該係合部は前記開閉部材の閉状態において前記第一操作部の直下に略接触状態で位置すると共に前記第二操作部との間で前記略接触状態よりも広い所定の間隙をもって該第二操作部の回動軌跡上に位置し、前記開閉部材の開状態において前記第二操作部の上方に位置し、前記電気的駆動源の駆動により前記作動部材を作動させて前記係合部が前記第一操作部を操作することにより開閉部材を開放し、前記電気的駆動源の駆動により前記作動部材を復動させて係合部が前記第二操作部を操作することにより開閉部材を閉鎖し、前記開閉部材の閉状態において該開閉部材に対し外部から開方向の回動力が加えられると、前記第二操作部が前記ストッパー部に衝止して開閉部材の開方向への回動が阻止されることを特徴とする。
【０００７】
ここでいう「電気的駆動源」とは電気的信号を受けて可動体を操作するアクチュエータの総称であり、例えばモータやソレノイド等が相当する。また、上記発明において間隙は、作動部材の非作動時に第二操作部がこの間隙分移動してストッパー部に当接した際に開閉部材の上部先端の移動量が遊技球を受け入れない移動量となるように設定される。
【０００８】
上記構成により、電気的駆動源の非駆動状態で開閉部材が閉状態にあるとき、係合部のストッパー部によって第二操作部の回転動作をロックして開閉部材の開方向への回動を阻止する。そして、電気的駆動源が駆動して作動部材が作動すると、係合部が第一操作部に接触係合すると共にストッパー部が第二操作部の回転軌道上から離脱することにより、第二操作部との干渉が回避されて第二操作部の回動阻止を解除し開閉部材が回動する。言い換えれば、開閉部材は電気的駆動源の駆動力でしか回動させることができない。したがって、電気的駆動源の非駆動状態で開閉部材に開方向の無用な作用力が働いたとしても、第二操作部がストッパー部に衝止して開閉部材が開放することがない。
【０００９】
請求項２に記載の発明は、支軸に回動自在に設けられ遊技者にとって不利な閉状態と有利な開状態とに可変する開閉部材と、電気的駆動源の駆動力により作動し前記開閉部材を起立又は傾倒させる作動部材とを備えた可変入賞装置であって、当該可変入賞装置に入賞した遊技球が通過する入賞開口が形成され、かつ透孔を備えた台板を有し、前記開閉部材は重心位置が所定の傾倒状態を境に閉方向又は開方向に付勢するように位置し、該開閉部材の背面側であり前記支軸と偏心した位置に該開閉部材を開方向に作用させる第一操作部と該開閉部材を閉方向に作用させる第二操作部とが設けられ、前記第一操作部及び前記第二操作部が、前記透孔に挿通されて前記台板の後方に突出しており、前記作動部材は前記開閉部材と前記台板の後方側で連係する軸状の係合部が前記の第一操作部と前記第二操作部の間に位置して設けられると共に該係合部が上下動し得るように回動自在に設けられ、前記係合部は前記開閉部材の閉状態において前記第二操作部の回動を阻止するストッパー部を備え、該係合部は前記開閉部材の閉状態において前記第一操作部の下方に所定の間隙をもって位置すると共に前記第二操作部の回動軌跡上である側方に前記所定の間隙よりも狭い間隔で位置し、前記開閉部材の開状態において前記第二操作部の上方に位置し、前記電気的駆動源の駆動により前記作動部材を作動させて前記係合部が前記第一操作部を操作することにより開閉部材を開放し、前記電気的駆動源の駆動により前記作動部材を復動させて係合部が前記第二操作部を操作することにより開閉部材を閉鎖し、前記開閉部材の閉状態において該開閉部材に対し外部から開方向の回動力が加えられると、前記第二操作部が前記ストッパー部に衝止して開閉部材の開方向への回動が阻止されることを特徴とする。
【００１０】
上記発明における間隙は、作動部材の作動時に係合部がこの間隙分移動してストッパー部が第二操作部の回動軌跡上から外れ得る移動量となるように設定される。
【００１１】
上記構成により、電気的駆動源の非駆動状態で開閉部材が閉状態にあるとき、係合部のストッパー部によって第二操作部の回転動作をロックして開閉部材の開方向への回動を阻止している。そして、電気的駆動源が駆動して作動部材が可動すると、ストッパー部が所定位置まで移動して第二操作部の回転軌道上から離脱することにより第二操作部の回動阻止を解除し、その後係合部が第一操作部に接触係合して開閉部材を回動させる。言い換えれば、開閉部材は電気的駆動源の駆動力でのみ回動させることができ、電気的駆動源の非駆動状態で開閉部材に開方向の無用な作用力が働いたとしても、第二操作部がストッパー部に衝止して開閉部材が開放することがない。
【００１２】
請求項３に記載の発明は、請求項１又は２に記載の可変入賞装置を遊技機に用いたことを特徴とし、不正遊技のできない遊技機を実現することができるようになる。
【００１３】
また、前記作動部材の軸支方向への移動を規制する規制手段を設けるのが好ましく、前記電気的駆動源の非駆動時に前記開閉部材を開放する外的操作力が働いた際に、前記ストッパー部で第二操作部の回動を阻止すると共に規制手段により係合部が第二操作部により押されて作動部材の軸支方向に撓むのを阻止し、確実に阻止することができる。例えば、開閉部材間に入賞した遊技球が通る通路部を規制手段として作動部材の係合部間に臨ませ、係合部の撓みを阻止するように設ければよい。
【００１４】
また、前記ストッパー部に阻止面を形成すると共に前記第二操作部に該阻止面と面接触し得る平坦面を形成するのがよい。これにより、電気的駆動源の非駆動時に第二操作部の平坦面がストッパー部の阻止面と面接触した状態で作動部材の可動方向と異なる方向に作用力が働くため、ロックが確実なものとなり作動部材を誤動作させることはなく、不正防止効果が顕著なものとなる。
【００１５】
前記作動部材は回動ピンにより回動自在に軸支され、該作動部材の軸線方向は開閉部材の支軸の投影された軸線方向と略直交するように設けられる。この構成により、第二操作部が係合部の回動方向と交差する方向に可動するため、第二操作部の回動軌跡上に位置する係合部によって第二操作部の移動が確実に阻止され、開閉部材が無用に開放することはない。
【発明の効果】
【００１６】
本発明の可変入賞装置によると、電気的駆動源が非駆動状態で例えば外部からピアノ線やセル板等の不正道具を用いて開閉部材を開けようとしても開閉部材が開かないため、賞球を不当に獲得する不正行為を確実に防止することができる。
【００１７】
また、可変入賞装置としての通常の作動を確保しつつ可変入賞装置を可動させる部材・部位に不正防止機能を備えるようにしたので、不正防止用の専用部材を新たに作成する必要がなく不正防止用の部品点数を削減してコストの低減化を図ることができ、構造を簡素化して付加価値の高い可変入賞装置を提供することができる。
【発明を実施するための最良の形態】
【００１８】
以下、本発明の実施形態を図面を参照し、遊技機としてパチンコ遊技機を例にして説明する。図１は、本発明に係る可変入賞装置を設けたパチンコ遊技機の正面図、図２は本発明に係る可変入賞装置の要部背面斜視図であり、図３は可変入賞装置の分解斜視図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留し発射部に供給する供給皿７と余剰球を貯留する貯留皿８とが設けられている。そして、貯留皿８の右側に打球の弾発力を調節する操作ハンドル９が設けられている。
【００１９】
遊技盤４は、略方形状に形成され、所定の幅員を有する誘導部材により前面板６の透明板との間に略円形の遊技領域４ａが形成され、その略中央領域に可変表示装置１１を設けている。そして、その下方に可変表示装置１１の画像を変動させる始動入賞口として所謂チューリップタイプの可変入賞装置１２が設けられ、さらにその下方に下部側の横軸心廻りに開閉する扉部材を開閉して多量の入賞を可能とする大入賞口１３が設けられている。また、可変表示装置１１の側方には検知スイッチ１４ａを備えた通過入賞口１４が設けられ、例えば通過入賞口１４の遊技球の通過を検知スイッチ１４ａが検知すると抽選が行われ、その結果が「当たり」等の所定条件で可変入賞装置１２が駆動するように設定される。遊技領域４ａの最下端には入賞球とならなかった遊技球がアウト球として流出するアウト口１５が設けられている。
【００２０】
可変入賞装置１２は、図３に示すように台板１６の前面上方部に球受口１７が設けられ、その下方に遊技球が通過し得る間隔をもって左右一対の開閉部材１９が設けられると共に開閉部材１９の下部を囲うように球受枠体２０が設けられている。そして、台板１６に開閉部材１９間に入賞した遊技球が通過する入賞開口１８が設けられ、この入賞開口１８に連通して台板１６の後方に通路部４７が形成されると共に通路部４７を囲うように支持枠体２１が設けられる。支持枠体２１には電気的駆動源として直線的に変位するソレノイド２２が設けられると共に、ソレノイド２２の駆動力を開閉部材１９に伝達する作動部材２３が設けられ、駆動ユニットＢを構成している。作動部材２３はソレノイド２２の駆動によりプランジャ４５が直線移動する動きを受けて、これを動きの異なる回転運動に変換して、作動部材２３の軸方向の異なる開閉部材１９に伝達し、開閉部材１９を回動させ開放するようにしている。
【００２１】
球受枠体２０は合成樹脂により前板部と底部とを有して形成され、前板部の前面に装飾シールを貼着する等して装飾効果を高めるようにしている。また、前板部の後方に開閉部材１９を回動自在に軸支する支軸２５が台板１６と略直交するように二本突設されると共に、開閉部材１９の開閉動を規制する規制突起２４ａ及び規制壁２４ｂが設けられている。そして、底部には開閉部材１９間に入賞した入賞球を円滑に後方へ案内する誘導リブ２６が形成されている。
【００２２】
開閉部材１９は左右略対称の翼形状をしており、下方部に支軸２５が前後方向に挿通される軸孔３０が貫設されている。そして、各開閉部材１９は開閉部材１９間を遊技球が通過し得る間隔をもって支軸２５を中心として回動するように装着される。また、開閉部材１９の前面下方内側に球受枠体２０に設けられた規制突起２４ａ及び規制壁２４ｂに係止し開閉部材１９の開角度を決定する規制片２７が設けられている。そして、図５に示すように開閉部材１９の背面側に支軸２５に対して偏心位置して、作動部材２３が係合する軸状の第一操作部３１ａと第二操作部３１ｂが所定間隔をもって突設されている。第一操作部３１ａは支軸２５の内方に位置して角柱形状をしており、第二操作部３１ｂは支軸２５の下方に位置して垂直側壁を有する上面円弧状の蒲鉾形状をしている。また、第一操作部３１ａ及び第二操作部３１ｂは台板１６に開設した入賞開口１８と連通する透孔３２を介して作動部材２３と係合し、第一操作部３１ａ及び第二操作部３１ｂの軌道は支軸２５を中心として内方に移動しながら上方に回動する円弧状となる。開閉部材１９の重心位置は、開閉部材１９が所定の角度傾倒した状態を平衡位置として、それを境に閉方向又は開方向に付勢するように位置している。
【００２３】
作動部材２３は、図３に示すように開閉部材１９に対応する一対の側板３３を遊技球が通過可能な間隔に離間するように、水平軸部３７で連結して平面視略コ字状に形成されている。そして、側板３３の後方上部の内面に従動ピン３６が突設されると共に側板３３の後方下部の外面に開閉部材１９の支軸２５方向と異なり台板１６と平行する回動ピン４２が突設される。また、側板３３の先端部には、開閉部材１９の第一操作部３１ａ及び第二操作部３１ｂの間に位置して第一操作部３１ａ及び第二操作部３１ｂに連係する軸状の係合部３４が形成され、この係合部３４の上部により第一操作部３１ａを押し上げ、下部により第二操作部３１ｂを押し下げるように構成している。また、係合部３４の側面（実施例では外側面）に常態で第二操作部３１ｂの回転軌道上に位置し、第二操作部３１ｂの回動を阻止するストッパー部３５が垂直平面状に形成されている。このストッパー部３５は、作動部材２３が作動して係合部３４が上動することにより、第二操作部３１ｂの回転軌道上から離脱するようにしている。なお、係合部３４の下部は、第二操作部３１ｂを下方に押し下げ易いようにテーパー面として、開閉部材１９を閉方向に回動させる作用力を付与するようにしてもよい。
【００２４】
ソレノイド２２は支持枠体２１に水平に配置してビス５１により固着され、スプリング４４を装着したプランジャ４５が前後方向に進退動するようになっており、プランジャ４５の前端部に複数のフランジにより連係部４６が形成されている。そして、この連係部４６に作動部材２３の従動ピン３６が収容保持されてソレノイド２２と作動部材２３が連係され、ソレノイド２２の駆動力が作動部材２３を介して開閉部材１９に伝達される。
【００２５】
上記構成の可変入賞装置１２の組立は、先ず球受枠体２０の支軸２５に開閉部材１９の軸孔３０を挿通して開閉部材１９間を遊技球が通過し得る間隔をもって装着し、この球受枠体２０を台板１６にビス着して球受ユニットＡを組立てる。次に、ソレノイド２２を組付けた支持枠体２１に作動部材２３の回動ピン４２を軸支して、作動部材２３を上下方向に回動自在に装着すると共に、ソレノイド２２の連係部４６に従動ピン３６が収容されるように装着して駆動ユニットＢを組立てる。そして、この駆動ユニットＢを、作動部材２３の係合部３４が球受ユニットＡの第一操作部３１ａ及び第二操作部３１ｂと連係するように台板１６にビス着することで開閉部材１９がソレノイド２２の駆動により開閉するように組み立てられる。このとき、図５（イ）に示すように係合部３４は第一操作部３１ａ及び第二操作部３１ｂの間に位置した状態で、第一操作部３１ａの直下に略接触状態で位置すると共に第二操作部３１ｂとの間に所定の間隙Ｃを有するように位置している。ここでいう所定の間隙Ｃとは、作動部材２３の非作動時に第二操作部３１ｂがこの間隙Ｃ分移動してストッパー部３５に当接した際に開閉部材１９の上部先端の移動量が遊技球を受け入れない移動量となるように設定される。
【００２６】
次に、上記のように組立てられた可変入賞装置１２の動作を説明する。ソレノイド２２が消磁した常態で作動部材２３が作動していない遊技者にとって不利な閉状態では、プランジャ４５は図４に示すようにスプリング４４の付勢により前進位置にある。これに伴い作動部材２３が下向回動して係合部３４は図５（イ）に示すように第一操作部３１ａの直下に略接触状態で位置して第二操作部３１ｂから所定間隙Ｃ離れた状態に保たれる。このとき、開閉部材１９は自重により規制片２７が規制壁２４ｂに係止して起立状態を保持し、遊技球を受け入れ難い閉状態にしている。また、ソレノイド２２の非励磁状態において、ストッパー部３５は第二操作部３１ｂの回動軌跡上に位置し、開閉部材１９が回動しようとしても第二操作部３１ｂの回動作がストッパー部３５に阻止されることにより開閉部材１９の無用な回動作を阻止している。
【００２７】
また、ソレノイド２２が励磁すると、プランジャ４５はスプリング４４の付勢に抗して後退し、作動部材２３は回動ピン４２を中心に上向き回動する。これに伴い係合部３４が上動して直ぐに第一操作部３１ａを押し上げてゆき、図５（ロ）に示すように、ストッパー部３５が所定位置まで移動して操作ピン３１ｂの回転軌道上から離脱して第二操作部３１ｂの回動阻止が解除される。そして、第二操作部３１ｂは係合部３４の下方に臨むように回動し、開閉部材１９は支軸２５を中心として開方向へ回動する。このとき、開閉部材１９の自重により規制片２７が規制突起２４ａに当接することで、開閉部材１９は遊技者にとって有利な全開状態となり遊技球が入賞し易くなる。このように、開閉部材１９がソレノイド２２により開閉動作する場合には、第二操作部３１ｂはストッパー部３５と干渉することはない。
【００２８】
その後、ソレノイド２２が消磁して作動を解除すると、プランジャ４５がスプリング４４の付勢により前進位置まで戻り、作動部材２３は回動ピン４２を中心に下向き回動する。これに伴い係合部３４が下動して第二操作部３１ｂを押し下げてゆき、第二操作部３１ｂが所定位置まで押し下げられると、開閉部材１９が自重により閉状態に復動してストッパー部３５が第二操作部３１ｂの回転軌道上に位置する。
【００２９】
一方、図５（イ）に示す開閉部材１９の閉状態において、開閉部材１９の上端にピアノ線又はセル板等の不正道具を引掛けて、開閉部材１９を無理矢理に開けようとする強制操作力が加えられたとしても、第二操作部３１ｂが支軸２５を中心として回動し始めようとするも、図６に示すように第二操作部３１ｂがストッパー部３５に当接する。そして、第二操作部３１ｂがストッパー部３５に当接することにより第二操作部３１ｂは開方向への動作が阻止され、開閉部材１９を開放することができない。しかも、第二操作部３１ｂの衝止方向が作動部材２３の上動方向と直交するように作用するため、作動部材２３を上動させる作用力も働かず開閉部材１９を開放させることはない。なお、第二操作部３１ｂがストッパー部３５に当接する際に開閉部材１９の上部先端が僅かに移動するも、間隙Cが遊技球を受け入れない移動量に設定されているため不正に遊技球を入賞させることはできない。
【００３０】
図７乃至図９は可変入賞装置の他の実施例を示し、前記実施例と異なる点は主として係合部３４と第一操作部３１ａ及び第二操作部３１ｂの位置関係であるため、同じ構成には同一符号を付して説明する。この実施例において、係合部３４を第一実施例の係合部３４より高さ方向に大きくしてストッパー部３５の第二操作部３１ｂとの接触面積を広くしており、第一操作部３１ａ及び第二操作部３１ｂは夫々円柱状及び三角柱状としている。また、係合部３４は図９（イ）に示す開閉部材１９Ａの閉状態において、第一操作部３１ａの下方に所定の間隙Ｃ１を隔てて位置し、かつ第二操作部３１ｂの側方直近に位置している。つまり、開閉部材１９Ａの閉状態において係合部３４は、支軸２５を中心とした円弧状の回動軌跡上に位置している。また、図９（ロ）に示す開閉部材１９Ａの開状態においては、係合部３４は第一操作部３１ａと所定の間隔をもって位置すると共に第二操作部３１ｂの上方に位置する。なお、間隙Ｃ１は、作動部材２３Ａの作動時に係合部３４がこの間隙Ｃ１分移動して、ストッパー部３５が第二操作部３１ｂの回動軌跡上から外れ得る移動量となるように設定される。
【００３１】
次に、上記の可変入賞装置１２Ａの動作を説明する。ソレノイド２２が励磁すると、プランジャ４５はスプリング４４の付勢に抗して後退し、作動部材２３Ａは回動ピン４２を中心に上向き回動する。これに伴い係合部３４が図９（ロ）に示すように、上動して所定位置まで移動するとストッパー部３５が第二操作部３１ｂの回転軌道上から離脱して第二操作部３１ｂの回動阻止を解除すると共に、第一操作部３１ａに係合して押し上げることにより、開閉部材１９Ａは支軸２５を中心として開方向へ回動する。このとき、第二操作部３１ｂが係合部３４の下方に臨むように回動する。そして、開閉部材１９Ａが所定角度回動すると開閉部材１９Ａは自重により開放し、規制片２７が規制突起２４ａに係止し、開閉部材１９Ａが全開状態となり、第二操作部３１ｂが係合部３４の直下に位置する。この実施例においても、開閉部材１９Ａが作動部材２３Ａにより開閉動作する場合には、第二操作部３１ｂはストッパー部３５と干渉することはない。
【００３２】
また、ソレノイド２２が消磁して作動を解除すると、プランジャ４５がスプリング４４の付勢により前進位置まで戻り、作動部材２３Ａは回動ピン４２を中心に下向き回動する。これに伴い係合部３４が下動して第二操作部３１ｂを押し下げてゆき、第二操作部３１ｂが所定位置まで押し下げられて開閉部材１９Ａが所定角度閉動作すると、開閉部材１９Ａが自重により閉状態に復動してストッパー部３５が第二操作部３１ｂの回転軌道上の側方直近に位置する。
【００３３】
一方、図９（イ）に示す開閉部材１９Ａの閉状態において、開閉部材１９Ａの上端にピアノ線又はセル板等の不正道具を引掛けて、開閉部材１９Ａを無理矢理に開けようとする強制操作力が加えられたとしても、第二操作部３１ｂが支軸２５を中心として回動し始めようとするも、第二操作部３１ｂが直ぐにストッパー部３５に当接するため第二操作部３１ｂは開方向への動作が阻止され回動することができず、図９（イ）鎖線に示すように開閉部材１９Ａは僅かしか動くことはない。しかも、第二操作部３１ｂの衝止方向が作動部材２３Ａの上動方向と直交するように作用するため、第二操作部３１ｂによる押力は作動部材２３Ａを上動させる作用力を生じさせることがない。したがって、開閉部材１９が開放することはなく、遊技球を不正に入賞口へ入れる行為を未然に防止することができる。
【００３４】
また、図１０は作動部材２３の軸方向への移動を規制する規制手段として通路部４７を係合部３４の間に臨むように設けており、ソレノイド２２の非駆動時に開閉部材１９を開放する外的操作力が働いた際に、ストッパー部３５で第二操作部３１ｂの回動を阻止すると共に通路部４７に係合部３４が当接することにより係合部３４が第二操作部３１ｂの押圧方向に撓むのを阻止し、開閉部材１９の回動を確実に阻止することができる。
【００３５】
以上説明したように、本実施形態に係る可変入賞装置１２，１２Ａは、電気的駆動源の駆動力を伝達する作動部材２３，２３Ａの係合部３４に開閉部材１９の背面側の第二操作部３１ｂの回動を阻止するストッパー部３５を設けたので、電気的駆動源が非駆動状態で開閉部材１９，１９Ａを開放しようとしても第二操作部３１ｂがストッパー部３５に衝止し、開閉部材１９，１９Ａの開方向への回動が阻止される。そして、電気的駆動源の駆動時にはストッパー部３５が第二操作部３１ｂの回転軌道から外れ回動阻止を解除し、開閉部材１９，１９Ａが開放される。つまり、開閉部材１９，１９Ａは電気的駆動源の駆動時にのみ開放される。
【００３６】
このように、本実施形態に係る可変入賞装置１２，１２Ａは、可変入賞装置としての通常の作動を確保しつつ可変入賞装置を可動させる部材・部位（係合部、操作部）に不正防止機能を備えるようにしたので、不正防止用の専用部材を新たに作成する必要がなくコストの低減化を図ることができる。
【００３７】
また、実施例において支持枠体２１を一体ものとしたが、図１１及び図１２に支持枠体２１を左右に分割形成した実施例を示している。なお、図上第二実施例に示した作動部材２３Ａを図示したが、当然のことながら第一実施例に示した作動部材２３を設けてもいいのはいうまでもない。図１１に示す支持枠体２１は第一支持枠部材２１１と第二支持枠部材２１２とに左右に分割形成して、ソレノイド２２を第二支持枠部材２１２に止めビス５１により固定すると共に、第二支持枠部材２１２側からビス５２を第一支持枠部材２１１に突設した組付けボス５３に螺締めすることにより支持枠体２１を一体化するようにしている。また、図１２に示す支持枠体２１は、ソレノイド２２を左右の第一支持枠部材２１１と第二支持枠部材２１２とで挟着して組付け突起５６により位置決めすると共に、止めビス５１をソレノイド２２の左右から螺締めすることにより支持枠体２１を一体化するようにしている。このように、支持枠体２１を左右に分割形成することにより、支持枠体２１の組み付け時又はソレノイド２２の取着時に第一支持枠部材２１１及び第二支持枠部材２１２の各軸孔５５に回動ピン４２を貫挿して作動部材２３，２３Ａを挟み込むだけで簡単に軸支することができる。しかも、作動部材２３，２３Ａを支持枠体２１に装着する際に必要とした遊びを設けることもないため、作動部材２３，２３を回動ピン４２の軸支方向にがたつきなく設けることができ、例え開閉部材１９，１９Ａを無理やり開放しようとしても第二操作部３１ｂがストッパー部３５に衝止して作動部材２３，２３Ａががたつくことがなく正確に開閉部材１９，１９Ａの不正開放を阻止することができる。さらに、支持枠体２１の幅員を最小限に設定することができて作動部材２３．２３Ａにがたつきがなく正確な動作が可能となり、ひいては可変入賞装置１２，１２Ａの小型化に寄与する。したがって、可変表示装置１１が大型化して可変入賞装置１２，１２Ａの設置領域が限られたとしても、狭い設置領域に十分設置することができる。
【００３８】
また、実施例において電気的駆動源を直動式のソレノイドとしたが正逆モータ，ロータリーソレノイドであってもよい。また、開閉部材１９，１９Ａの上部に球受口１７を設けたが、必ずしも設けなければならないものではない。さらに、実施例で開閉部材１９，１９Ａを一対設けて説明したが、必ずしも一対設けなければならないものではなく、一つの開閉部材１９，１９Ａが作動部材２３，２３Ａを介して電気的駆動源の駆動力により開閉する可変入賞装置であっても、本発明を適応することができる。
【００３９】
また、可変入賞装置を一対の翼形状の開閉部材を開閉する所謂チューリップタイプとしたが、大入賞口にも適応可能である。大入賞口は、例えば開閉部材としての扉部材が作動部材の回動ピンの軸線方向と略平行となる回動軸により回動自在に軸支され、扉部材の背面側に扉部材の回動軸と偏心して作動部材の係合部が係合する第一操作部及び第二操作部を所定の間隔をもって設け、作動部材に扉部材の閉鎖時に第二操作部が衝止して扉部材の開方向への可動を阻止するストッパー部を設ければよい。このとき、ストッパー部は第二操作部が作用した際にストッパー部を回動ピンから離間させる方向に作用が働くように設けられる。
【００４０】
本発明は、実施例において遊技機をパチンコ遊技機として説明したが、遊技球を遊技媒体とする雀球遊技機，アレンジボール式遊技機等の弾球遊技機にも適応可能である。
【図面の簡単な説明】
【００４１】
【図１】パチンコ遊技機の正面図である。
【図２】可変入賞装置の要部背面斜視図である。
【図３】可変入賞装置の分解斜視図である。
【図４】可変入賞装置の側断面図である。
【図５】（イ），（ロ）は可変入賞装置の開閉部材の開閉動作を示す背面作用図である。
【図６】開閉部材の不正開閉動作を示す背面作用図である。
【図７】可変入賞装置の他の実施例を示す要部背面斜視図である。
【図８】図７の可変入賞装置の側断面図である。
【図９】（イ），（ロ）は図７の可変入賞装置の開閉部材の開閉動作を示す背面作用図である。
【図１０】可変入賞装置の要部背面図である。
【図１１】駆動ユニットの他の実施例の分解斜視図である。
【図１２】駆動ユニットのさらに他の実施例の分解斜視図である。
【符号の説明】
【００４２】
１２，１２Ａ    可変入賞装置
１９，１９Ａ    開閉部材
２２            ソレノイド（電気駆動源）
２３，２３Ａ    作動部材
２５            支軸
３１ａ          第一操作部
３１ｂ          第二操作部
３４            係合部
３５            ストッパー部
１００          パチンコ遊技機（遊技機）
Ｃ、Ｃ１        間隙
【図１】
0005500706.tif 000002
【図２】
0005500706.tif 000003
【図３】
0005500706.tif 000004
【図４】
0005500706.tif 000005
【図５】
0005500706.tif 000006
【図６】
0005500706.tif 000007
【図７】
0005500706.tif 000008
【図８】
0005500706.tif 000009
【図９】
0005500706.tif 000010
【図１０】
0005500706.tif 000011
【図１１】
0005500706.tif 000012
【図１２】
0005500706.tif 000013